(57)【要約】【課題】従来のレンズの欠点を克服すると共に、装着者の良好な視的快適性と、高い近視領域と、近視領域、中間視領域、および遠視領域における広い視野とを確保する。【解決手段】遠視領域ＶＬ、近視領域ＶＰ、および中間視領域ＶＩを具備した多焦点眼用レンズであって、高い近視領域と、近視領域、中間視領域、および遠視領域ＶＬにおける広い視野とを有するレンズが提供される。レンズ上の取付中心と、倍率増分が遠視制御点における倍率増分よりも８５％だけ高い点との間の距離が１６ｍｍよりも短いにも関わらず、プログレッションは緩慢であり、同時に、レンズの幾何中心と心合わせされた半径２０ｍｍの円の内側における最大シリンダ値が低い値に維持される。【選択図】図１
2011095783.tif 000002
【特許請求の範囲】
【請求項１】
その上の全ての点において平均球値およびシリンダ値を有する非球面を具備すると共に、遠視領域（ＶＬ）と、近視領域（ＶＰ）と、中間視領域（ＶＩ）と、これら三つの領域を通過するプログレッションの主メリディアン（ＭＭ’）とを具備し、プログレッションの主長さが１６ｍｍよりも短く、（ａ）レンズの幾何中心と心合わせされた半径２０ｍｍの円の内側における最大シリンダ値と、（ｂ）レンズの幾何中心と、シリンダ値が最大値である前記円の内側の点との間の距離との比がプログレッションの主メリディアンに沿った平均球値の最大傾き（Ｐmer）の半分以下である多焦点眼用レンズ。
【請求項２】
プログレッションの主メリディアンが、シリンダ値が０．５ディオプトルである点により形成される各線を結ぶ水平線分の中間点により形成される請求項１に記載の多焦点眼用レンズ。
【請求項３】
前記レンズが近視および中間視用多焦点レンズであり、該レンズの倍率増分がレンズの幾何中心と心合わせされた半径２０ｍｍの円の内側におけるプログレッションの前記メリディアンの平均球値の最大値と最小値との差として規定される請求項１または２に記載の多焦点眼用レンズ。
【請求項４】
プログレッションの主長さが倍率増分と、前記メリディアン上の平均球値の最大傾きとの比として規定される請求項３に記載の多焦点眼用レンズ。
【請求項５】
前記レンズが近視領域のための基準点と、遠視領域のための基準点とを有するプログレッシブ多焦点レンズであり、該レンズの倍率増分がこれら２点における平均球値の差として規定される請求項１または２に記載の多焦点眼用レンズ。
【請求項６】
プログレッションの主長さが取付中心と、平均球値が遠視のための前記基準点における平均球値よりも８５％だけ大きい前記メリディアン上の点との間の鉛直方向距離として規定される請求項５に記載の多焦点眼用レンズ。
【請求項７】
レンズの幾何中心と心合わせされた前記半径２０ｍｍの円の内側のシリンダ値が倍率増分よりも小さい請求項３から６までのいずれか一項に記載の多焦点眼用レンズ。
【請求項８】
レンズの幾何中心と心合わせされた前記半径２０ｍｍの円の内側において前記メリディアンの両側での最大シリンダ値の差が０．０５ディオプトルよりも小さい請求項１から７までのいずれか一項に記載の多焦点眼用レンズ。
【請求項９】
レンズの幾何中心からそれぞれ延びて、近視領域において前記円と、シリンダ値が倍率増分の半分に等しい点により形成される線との交点を通過する半線間の角が４５°よりも大きい請求項３から８までのいずれか一項に記載の多焦点眼用レンズ。
【請求項１０】
シリンダ値が倍率増分の半分に等しい点により形成される線でもってレンズの上部に画定される前記遠視領域が前記レンズの幾何中心から始まる二つの半線により形成される角付扇状部を含み、これら半線間の角が１３０°よりも大きい請求項３から９までのいずれか一項に記載の多焦点眼用レンズ。
【請求項１１】
レンズの幾何中心と心合わせされた前記半径２０ｍｍの円の内側のシリンダ値が倍率増分の８０％よりも小さい請求項７に記載の多焦点眼用レンズ。
【請求項１２】
レンズの幾何中心と心合わせされた前記半径２０ｍｍの円の内側において前記メリディアンの両側での最大シリンダ値の差が０．０３ディオプトルよりも小さい請求項８に記載の多焦点眼用レンズ。
【請求項１３】
前記角が１６０°と１６５°との間にある請求項１０に記載の多焦点眼用レンズ。
【発明の詳細な説明】
【技術分野】
【０００１】
本発明はその上の全ての点において平均球値およびシリンダ値を有する非球面を備えた多焦点眼用レンズに関する。なお、本明細書において「近視」は近くを見ることを、「遠視」は遠くを見ることをそれぞれ表している。
【背景技術】
【０００２】
このようなレンズは公知であり、多焦点レンズの中から、全ての距離の視覚に適合されたプログレッシブレンズとして知られるレンズ、および特に近視および中間視用のレンズを区別することができる。
【０００３】
プログレッシブ多焦点眼用レンズは遠視領域と、近視領域と、中間視領域と、これら三つの領域を通過するプログレッションまたは遷移部分の主メリディアンとを具備する。本明細書と一体のものとして参照される特許文献１にはその冒頭において、プログレッシブ多焦点眼用レンズの様々な要素（プログレッションの主メリディアン、遠視領域、近視領域など）が記載されており、さらに、このようなレンズの装着者の快適性を改良するために本願出願人によりなされた研究成果が記載されている。
【０００４】
さらに、視力のよい人の視的要求事項をさらによく満たし、また、プログレッシブ多焦点レンズの快適性を改良するために、プログレッションの主メリディアンの形状を倍率増分値Ａの関数として適合させることが本願出願人によりすでに提案されている（特許文献２）。
【０００５】
このようなレンズのために、倍率増分値Ａは遠視領域の基準点と近視領域の基準点との間の平均球値の変化として規定される。
【０００６】
このようなプログレッシブレンズは通常、装着者の非正視および近視のために必要な倍率の関数として定められる。
【０００７】
特に近視用のレンズもあり、このようなレンズは従来のプログレッシブレンズが有するように予め定められた基準点を有する遠視領域を備えていない。このようなレンズは装着者が必要とする近視用倍率に応じ、遠視用倍率から独立して定められる。このようなレンズは非特許文献１に開示されており、エシロア  デルタ（Ｅｓｓｉｌｏｒ  Ｄｅｌｔａ）という商標でもって本願出願人により市場で販売されている。このレンズはプログレッシブレンズのように簡単に使用できかつ容易に装着でき、プログレッシブレンズを装着していない視力のよい人にとって魅力的なものである。このレンズは特許文献３にも開示されている。このレンズは満足のいく近視を確保するために、視力を矯正するのに一般的に用いられている単焦点レンズと等価である中央部分を有する。さらに、このレンズは上部において倍率がわずかばかり小さくされており、装着者が通常の近視野よりも鮮明な視野を有するのを確保する。さらに、レンズは近視のための見かけ上の倍率に等しい倍率値を有する点と、レンズの下部において高倍率領域と、レンズの上部において低倍率領域とを有する。
【０００８】
プログレッシブレンズであろうと近視用レンズであろうと、現在の多焦点レンズを、装着者の快適性を改良するために中心視性能に関し、さらに改良することができる。多焦点レンズの装着者は実際、動態視に不快感を感ずることが時としてある。このようなレンズも、装着者の最適な快適性を確保するのに十分高い近視領域を維持することにより改良することができる。さらに、中間視および遠視に接して広い視野を設けることが重要である。
【先行技術文献】
【特許文献】
【０００９】
【特許文献１】フランス国特許出願第２６９９２９４号
【特許文献２】フランス国特許出願ＦＲ−Ａ−２６８３６４２号
【特許文献３】フランス国特許出願ＦＲ−Ａ−２５８８９７３号
【非特許文献】
【００１０】
【非特許文献１】「眼鏡屋（Ｏｐｔｉｃｉｅｎ  Ｌｕｎｅｔｉｅｒ）」、１９８８年４月、の記事
【発明の概要】
【発明が解決しようとする課題】
【００１１】
本発明は従来のレンズの欠点を克服すると共に、装着者の良好な視的快適性と、高い近視領域と、近視領域、中間視領域、および遠視領域における広い視野とを確保する多焦点レンズを提供する。本発明によるレンズはまた、レンズの全ての領域において装着者が緩慢なプログレッションを享受するのを確保する。
【課題を解決するための手段】
【００１２】
本発明はその上の全ての点において平均球値およびシリンダ値を有する非球面を具備すると共に、遠視領域ＶＬと、近視領域ＶＰと、中間視領域ＶＩと、これら三つの領域を通過するプログレッションの主メリディアンＭＭ’とを具備し、本明細書で規定されるプログレッションの主長さが１６ｍｍよりも短く、レンズの幾何中心と心合わせされた半径２０ｍｍの円の内側における最大シリンダ値Ｃmaxが以下の関係により規定される多焦点眼用レンズを提供する。
【００１３】
Ｃmax／ｄ≦０．５０・Ｐmer
ここでｄはレンズの幾何中心と、シリンダ値が最大値である前記円の内側の点との間の距離であり、Ｐmerはプログレッションの主メリディアンに沿った平均球値の最大傾きである。
【００１４】
好ましい実施態様によれば、プログレッションの主メリディアンはシリンダ値が０．５ディオプトルである点により形成される各線を結ぶ水平線分の中間点により形成される。
【００１５】
一実施態様において、レンズは近視および中間視用多焦点レンズであり、このレンズの倍率増分はレンズの幾何中心と心合わせされた半径２０ｍｍの円の内側におけるプログレッションの前記メリディアン上の平均球値の最大値と最小値との差として規定される。この場合、プログレッションの主長さは好ましくは、倍率増分と、前記メリディアン上の平均球値の最大傾きとの比として規定され、レンズの幾何中心と心合わせされた半径２０ｍｍの円の内側のシリンダ値は倍率増分よりも小さく、好ましくは倍率増分の８０％よりも小さい。
【００１６】
別の実施態様によれば、レンズは近視領域のための基準点と、遠視領域のための基準点とを有するプログレッシブ多焦点レンズであり、このレンズの倍率増分はこれら２点における平均球値の差として規定される。
【００１７】
この場合、プログレッシブの主長さを、取付中心と、平均球値が遠視のための前記基準点における平均球値よりも８５％だけ大きい前記メリディアン上の点との間の鉛直方向距離として規定することができ、レンズの幾何中心と心合わせされた前記半径２０ｍｍの円の内側のシリンダ値が倍率増分よりも小さく、好ましくは倍率増分の８０％よりも小さい。
【００１８】
両方のレンズのさらに好ましい実施態様において、レンズの幾何中心と心合わせされた半径２０ｍｍの円の内側において前記メリディアンの両側での最大シリンダ値の差が０．０５ディオプトルよりも小さく、好ましくは０．０３ディオプトルよりも小さい。
【００１９】
さらに好ましい実施態様によれば、レンズの幾何中心からそれぞれ延びて、近視領域において前記円と、シリンダ値が倍率増分の半分に等しい点により形成される線との交点を通過する半線間の角が４５°よりも大きい。
【００２０】
さらに好ましい実施態様によれば、シリンダ値が倍率増分の半分に等しい点により形成される線でもってレンズの上部に画定される前記遠視領域が前記レンズの幾何中心から始まる二つの半線により形成される角付扇状部を含み、これら半線間の角が１３０°よりも大きく、好ましくは１６０°と１６５°との間にある。
【００２１】
本発明のさらに別の特徴および利点は添付図面を参照した本発明を限定しない例による本発明の実施態様の以下の記載から、さらに明らかになろう。
【図面の簡単な説明】
【００２２】
【図１】多焦点プログレッシブレンズの概略前面図である。
【図２】本発明によるレンズのメリディアンに沿った倍率の変化を示す線図である。
【図３】プログレッションの主メリディアンおよび平均球値のレベルを表す線を示す図２のレンズの前面図である。
【図４】プログレッションの主メリディアンおよびシリンダ値レベルを表す線を示す図２のレンズの前面図である。
【図５】倍率増分が２ディオプトルの場合における図２と同様な図である。
【図６】倍率増分が２ディオプトルの場合における図３と同様な図である。
【図７】倍率増分が２ディオプトルの場合における図４と同様な図である。
【図８】倍率増分が３ディオプトルの場合における図２と同様な図である。
【図９】倍率増分が３ディオプトルの場合における図３と同様な図である。
【図１０】倍率増分が３ディオプトルの場合における図４と同様な図である。
【発明を実施するための形態】
【００２３】
以下では、Ｘ軸がレンズの水平軸に対応し、Ｙ軸が鉛直軸に対応する眼用座標系が採用される。基準フレームの中心Ｏはレンズの幾何中心である。
【００２４】
図１は公知のプログレッシブ眼用レンズの概略前面図であり、レンズの様々な要素を示している。
【００２５】
図２から図４は本発明によるレンズの光学特性を示しており、このレンズの直径は約６０ｍｍである。図２から図４では、倍率増分が１ディオプトルであるレンズについて説明する。
【００２６】
図５から図１０は倍率増分が２または３ディオプトルであるレンズにおける同様な図を示している。
【００２７】
まず、図１を参照して多焦点眼用レンズの様々な要素を説明する。このようなレンズは一般的に、図１に示される非球面と、非球面またはトロイダルでありうる第２面とを有する。
【００２８】
非球面上のすべての点に対し平均球値Ｄが次式により規定される。
【００２９】
【数１】
2011095783.tif 000003
【００３０】
ここでＲ１およびＲ２はメートルで表される最大曲率半径および最小曲率半径であり、ｎはレンズ材料の屈折率である。
【００３１】
シリンダ値Ｃは次式により規定される。
【００３２】
【数２】
2011095783.tif 000004
【００３３】
等球値線は平均球値が等しいレンズ表面上の複数の点を、幾何中心Ｏにおいてプログレッシブ面に接する平面上に投影することにより形成される線である。同様に、等シリンダ値線はシリンダ値が等しい複数の点を、この同一平面上に投影することにより形成される線である。
【００３４】
従来通り、レンズ１はその上部の遠視領域ＶＬと、下部の近視領域ＶＰと、これら二つの領域間の中間領域ＶＩとを具備する。プログレッシブレンズに対し、近視が測定される近視領域内に基準点Ｐが画定され、遠視が測定される位置において基準点Ｌが画定される。近視用レンズでは、近視を測定するために近視領域内に基準点Ｐが画定されるが、遠視領域のために対応する基準点は画定されない。
【００３５】
図１において、遠視領域、中間領域、および近視領域を通過するレンズのプログレッション２の主メリディアンが示される。このメリディアンは０．５ディオプトルの等シリンダ値線により画定される水平線分の中間点の軌跡として定められる。図１の例において、メリディアンは本質的に三つの線分からなり、その第１の線分はレンズの頂点から概ね鉛直方向に延び、点Ｌを通過して点Ｄまで下方に延びる。この点Ｄは取付中心と称されると共に、遠視制御点Ｌと幾何中心Ｏとの間に位置する。第２の線分は点Ｄからレンズの鼻方向に傾斜して延び、第３の線分は第２の線分の端部Ｃから始まり、近視制御点Ｐを通過する。メリディアンを他の形状にすることができる。
【００３６】
プログレッシブ多焦点眼用レンズの場合、公知の方法でもって倍率増分が定められ、この倍率増分は近視領域内の基準点Ｐと遠視領域内の基準点Ｌと間の平均球値の差である。
【００３７】
近視および中間視用の多焦点レンズに対し、球値の最小値および最大値はレンズの幾何中心を中心とする半径２０ｍｍの円の境界の内側におけるメリディアン上で測定されて定められる。この場合、倍率増分は球値のこれら最小値と最大値との差である。プログレッシブレンズに関し、この定義は倍率増分の従来通りの定義、すなわち近視領域の基準点と遠視領域の基準点との間の球値の差、と実質的に等価である。
【００３８】
これらの定義により、レンズ上部にある遠視領域の限界が倍率増分の半分に等しい値の等シリンダ値線により形成されると一般的に考えられている。同様に、レンズ下部にある近視領域の限界は倍率増分の半分に等しい値の等シリンダ値線により定められる。
【００３９】
従来のレンズ、特に本願出願人によるレンズの場合、プログレッションの主メリディアン周りの領域における視覚は完全に満足のいくものである。
【００４０】
図１に示される内側の円は日常生活で眼がスキャンする領域を表している。中心視領域として知られているこの部分の寸法および位置は本願出願人の研究所において行われた数多くの測定により求められている。例えば、ＩＥＥＥ、Ｔ．ボニン（Ｂｏｎｎｉｎ）およびＮ．バー（Ｂａｒ）による携帯型眼運動記録器（Ｐｏｒｔａｂｌｅ  ｅｙｅ  ｍｏｖｅｍｅｎｔ  ｒｅｃｏｒｄｅｒ）、ＩＥＥＥ薬工学および生物工学部会の第１４回定期国際会議予稿集、１９９２、第４部、第１６６８から１６６９頁、ＡＡＯ１９９３、「眼用非球面レンズの最適化、日常生活のための眼運動の記録（Ｏｐｔｉｍｉｚａｔｉｏｎ  ｏｆ  ｏｐｈｔｈａｌｍｉｃ  ａｓｐｈｅｒｉｃ  ｌｅｎｓｅｓ：ｒｅｃｏｒｄｉｎｇ  ｏｆ  ｅｙｅ  ｍｏｖｅｍｅｎｔ  ｆｏｒ  ｅｖｅｒｙｄａｙ  ｔａｓｋｓ）」、Ｎ．バー（Ｂａｒ）、Ｔ．ボニン（Ｂｏｎｎｉｎ）、およびＣ．ペドレノ（Ｐｅｄｒｅｎｏ）、検眼および視覚科学（Ｏｐｔｏｍｅｔｒｙ  ａｎｄ  ｖｉｓｉｏｎ  ｓｃｉｅｎｃｅ）１９９３、第１２号、第７０巻、第１５４頁、あるいはＥＣＥＭ９３、「視的空間の利用（Ｔｈｅ  ｕｓｅ  ｏｆ  ｖｉｓｕａｌ  ｓｐａｃｅ）」、Ｎ．バー（Ｂａｒ）によるポスター、を参照されたい。この領域は取付中心と心合わせされた直径３０ｍｍの円板を覆う。
【００４１】
装着者の最高の視的快適性を確保するために、レンズの幾何中心と心合わせされた直径４０ｍｍの円板を考え、以下に詳細に説明するようにこの円の内側において量Ｃmax／ｄが０．５０・Ｐmerよりも小さい状態となるようにしている。この円板は中心視領域を囲む。したがって、この領域内においてシリンダ値のような欠点が抑制され、それにより中心視領域における鮮明な視覚ができる限り確保される。
【００４２】
レンズのプログレッションの緩慢度合い、および中心視領域での快適性を改善するために、本発明は以下の図面を参照して説明されるレンズ表面の特性の新しい定義を考える。図面はプログレッシブ多焦点レンズの場合を示しているが、本発明は必要な変更を加えて近視用多焦点レンズにも適用される。
【００４３】
図２は本発明によるレンズのメリディアンに沿った倍率を示すグラフであり、このレンズの倍率増分は１ディオプトルである。図１のグラフのｙ軸はレンズのｙ軸であり、ｘ軸は遠視領域内の基準点からの倍率（ディオプトル）の差を与える。
【００４４】
メリディアンに沿うｙ軸上のｙ＝８ｍｍである点は遠視領域の基準点Ｌに対応し、これは図２の場合、最小球値の点である。この点において、平均球値は５．２ディオプトルであり、シリンダ値は零である。メリディアン上のｙ軸値が−１４ｍｍである点は近視領域の基準点Ｐであり、この点において平均球値は６．２２ディオプトルであり、シリンダ値は０．０２ディオプトルである。
【００４５】
プログレッシブ多焦点レンズの場合、取付中心のｙ軸値と、平均球値が遠視領域の基準点における平均球値と倍率増分の８５％との和に等しいメリディアン上の点のｙ軸値との差はプログレッションの主長さＬｐｐと称される。図２の例では、ｙ軸上の値がｙ＝−１０．８ｍｍの点における平均球値は遠視領域の基準点における平均球値よりも倍率増分の８５％だけ高い。取付中心がｙ軸上のｙ＝４ｍｍの場合、プログレッションの主長さは１４．８ｍｍになる。
【００４６】
近視および中間視用の多焦点レンズの場合、プログレッションの主長さは上述の通り規定された倍率増分とメリディアンに沿った平均球値の傾きとの比であり、この比は次のように表される。
【００４７】
Ｌpp＝（Ｓmax−Ｓmin）／Ｐmer
ここでＳmaxおよびＳminはそれぞれメリディアン上の球値の最大値および最小値であり、Ｐmerはメリディアンに沿った球値の傾きの最大値であり、この球値の傾きはｘまたはｙに対する球値の最大傾斜率に相当する。この比Ｌppは長さと等価であり、平均球値が倍率増分に相当する値だけ増大する長さを表している。
【００４８】
いずれの場合にも、プログレッションの主長さは平均球値の変化に相当するメリディアンに沿った位置を表している。
【００４９】
図２はまず、点Ｌ上方の遠視領域において球値が概ね一定であることを示している。図２はまた、点Ｐ下方の近視領域において球値が概ね一定であることも示している。さらに、図２は１４．８ｍｍに等しいプログレッションの主長さが短く、とりわけ、１６ｍｍよりも短いことを示している。これにより、かなり快適に広範囲に近視を用いることが可能となるのが確保される。
【００５０】
図３はプログレッションの主メリディアンおよび等平均球値線を示す図２のレンズの前面図である。図２に示されるこれらの要素は等球値線と共に図３に示される。図３の等球値線は遠視領域制御点Ｌにおける平均球値よりもそれぞれ０．２５，０．５，０．７５，１ディオプトルだけ大きい平均球値をそれぞれ表す線１１，１２，１３，１４である。
【００５１】
図４はプログレッションの主メリディアンおよび等シリンダ値線を示す図２のレンズの前面図である。図２に示されるこれらの要素は図４にも示される。プログレッションの主メリディアンに沿ってシリンダ値が小さくなるにつれて、シリンダ値の各値に対し二つの等シリンダ値線がある。図４の等シリンダ値線はシリンダ値がそれぞれ０．２５、０．５、０．７５である１６および１６’、１７および１７’、１８および１８’である。
【００５２】
上述したように、レンズの上部において、遠視領域の境界は０．５等シリンダ値線１７および１７’により実質的に形成される。したがって、本発明のレンズはレンズの上部側半分のほとんど全て上に拡がる広い遠視領域を有する。
【００５３】
レンズの下部において、近視領域の境界も０．５等シリンダ値線１７および１７’により実質的に形成される。図４は点Ｐにおいて等シリンダ値線１７および１７’間を測定して得られる本発明のレンズの近視領域の幅が１３ｍｍよりも大きいことを示している。
【００５４】
レンズの幾何中心と心合わせされた直径４０ｍｍの円板を考えると、この円板の内側におけるシリンダ値の最大値は０．７４１ディオプトルであり、この最大値はレンズの中心から２０ｍｍだけ離れたｘ＝−１６、ｙ＝−１２の点において得られる。
【００５５】
したがって、図２から図４のレンズではプログレッションの長さを短く維持しつつ非常に緩慢なプログレッションが確保され、したがって高い近視領域が確保される。
【００５６】
量的にはこれは次の関係により表される。
【００５７】
Ｃmax／ｄ≦０．５０・Ｐmer
ここでＣmaxはレンズの幾何中心と心合わせされた直径４０ｍｍの円板の内側におけるシリンダ値（ディオプトル）の最大値であり、ｄは幾何中心と、この最大値が得られる円板上の点との間の距離（ｍｍ）であり、Ｐmerはメリディアンに沿った平均球値の傾きの最大値（ディオプトル／ｍｍ）である。
【００５８】
したがって０．５０という値は無次元である。
【００５９】
関係（１）はメリディアンに沿った球値の急激なプログレッションがレンズの中心視領域における非常に重要な欠点をもたらさないということを反映している。値Ｐmerは球値の傾きの最大値を表しており、大きな値は著しいプログレッションを表す。値Ｃmaxは直径４０ｍｍの円板の境界の内側のレンズ表面で、大きなプログレッション度合いにより引き起こされる障害を反映している。この値は係数１／ｄにより重み付けされ、この障害によりレンズの中心において生ずる問題よりもレンズの縁部において生ずる問題の方が小さいことを表している。本願出願人により試験された従来のあらゆるプログレッシブ眼用レンズは関係（１）を満たさない。この基準に最も近く適合する従来のレンズは本願出願人自身のレンズであり、このレンズについて値Ｃmax／（ｄ・Ｐmer）はレンズ上で測定すると０．５５になる。したがって、レンズは著しいプログレッションと、中心視領域において特によく制御された障害との間のこのような妥協を、初めて保証するものである。
【００６０】
図５から図７は図２から図４に示されるものと同様な図を示しており、しかしながら倍率増分が２ディオプトルであるレンズに関するものであり、図８から図１０は図２から図４に示されるものと同様な図を示しており、しかしながら倍率増分が３ディオプトルであるレンズに関するものである。図６および図９では等球値線が０．２５ディオプトル間隔で示されており、図８および図１０では等シリンダ値線が０．２５ディオプトル間隔で示されている。
【００６１】
各レンズに対し、以下の値により関係が満たされる。
【００６２】
Ｃmax／ｄ≦０．４４・Ｐmer
本発明は関係（１）と組み合わさって本発明によるレンズの性能を改良することができる他の利点を開示する。
【００６３】
図２を参照して上述したように、プログレッションの主長さは有利には１６ｍｍよりも短く、倍率増分が１のレンズの場合その値は１４．８ｍｍである。倍率増分が２のレンズの場合も倍率増分が３のレンズの場合も、プログレッションの主長さはほぼ同じである。この短いプログレッションの長さは実際、レンズ上を上方に拡がる近視領域により表される。
【００６４】
有利には、直径４０ｍｍの円の内側における最大シリンダ値は倍率増分よりも小さく、好ましくは倍率増分の８０％である。例えば、倍率増分が１ディオプトルの場合を考えると、円の内側における最大シリンダ値は０．７４１ディオプトルであり、この値は倍率増分が２ディオプトルの場合には１．５２であり、倍率増分が３ディオプトルの場合には２．２８である。
【００６５】
レンズの幾何中心と心合わせされた半径２０ｍｍの円の内側においてメリディアンの両側での最大シリンダ値の差を０．０５ディオプトルよりも小さく、好ましくは０．０３ディオプトルよりも小さく定めることもできる。
【００６６】
有利には、レンズの幾何中心からそれぞれ延びて、近視領域において半径２０ｍｍの円と、シリンダ値が倍率増分の半分に等しい点により形成される線との交点を通過する半線間の角が４５°よりも大きい。図２から図４の実施態様において、参照符号２１，２１’が付されたこれら半線間の角は４５°程度である。その値は図５以降の倍率増分が２および３であるレンズに対しても概ね同じであり、対応する半線が図７および図１０に示されている。
【００６７】
さらに、本発明はシリンダ値の最大値をレンズの鼻側とこめかみ側とで概ね同じにすることを提案し、この値は有利には上述のように規定される倍率増分の７５％程度である。本発明による倍率増分が１のレンズでは、鼻側での最大シリンダ値は０．７３４ディオプトルであり、座標がｘ＝１７ｍｍ、ｙ＝−１０ｍｍである点において得られる。こめかみ側ではシリンダ値の最大値は０．７４１ディオプトルであり、座標がｘ＝−１６ｍｍ、ｙ＝−１２ｍｍである点において得られる。この最大値はレンズの幾何中心からの距離がそれぞれ１９．７ｍｍ、２０ｍｍである点において得られる。これにより、最大シリンダ値の点が中心視のために用いられる領域の縁部に位置するのが確保される。
【００６８】
本発明の一実施態様において、遠視領域はレンズの幾何中心で終わる二つの半線により形成される少なくとも一つの扇状部を具備し、これら半線間に形成されるレンズの上部に対面する角は少なくとも１３０°である。この値は有利には１６０°と１６５°との間にある。図４に示されるように、倍率増分が１ディオプトルの場合、参照符号２０，２０’で示される半線間の角は１６３°である。この角は倍率増分が２または３ディオプトルの場合と概ね等しい。対応する半線が図７および図１０にも示されている。
【００６９】
本発明による様々なレンズを提供できるようにする様々な特徴の詳細を以下に説明する。それ自体公知であるように、レンズの表面は連続しており、連続して３度派生しうる。当業者には公知であるように、プログレッシブレンズの表面は特定数のレンズパラメータの境界条件を設定してコンピュータを用いたデジタル最適化により得られる。
【００７０】
上述の通り規定された基準のうちの一つまたはいくつかを境界条件として用いることができる。
【００７１】
これらの基準は遠視領域に基準点を有すると共に近視領域に基準点を有する従来のプログレッシブ多焦点レンズと、近視用の多焦点レンズとの両方に適用される。
【００７２】
有利には、一群の各レンズに対し、プログレッションの主メリディアンを定めることから始めることができる。このために、その全体が本明細書と一体のものとして参照されるフランス国特許出願第ＦＲ−Ａ−２６８３６４２号の教示を用いることができる。本発明の教示を適用するために、プログレッションの主メリディアンのあらゆる他の規定を用いることができる。明らかに、本発明は上記記載に限定されない。数ある中で、非球面をレンズの装着者に対面する表面とすることができる。さらに、両眼に対し異ならせることができるレンズについてこれまで一切記載されていないが、これは当然、適用される。
【符号の説明】
【００７３】
１    レンズ
２    プログレッションの主メリディアン
ＶＬ    遠視領域
ＶＰ    近視領域
ＶＩ    中間視領域
【図１】
2011095783.tif 000005
【図２】
2011095783.tif 000006
【図３】
2011095783.tif 000007
【図４】
2011095783.tif 000008
【図５】
2011095783.tif 000009
【図６】
2011095783.tif 000010
【図７】
2011095783.tif 000011
【図８】
2011095783.tif 000012
【図９】
2011095783.tif 000013
【図１０】
2011095783.tif 000014
【手続補正書】
【提出日】平成23年2月17日(2011.2.17)
【手続補正２】
【補正対象書類名】明細書
【補正対象項目名】００１５
【補正方法】変更
【補正の内容】
【００１５】
一実施態様において、レンズは近視および中間視用多焦点レンズであり、このレンズの倍率増分はレンズの幾何中心と心合わせされた半径２０ｍｍの円の内側におけるプログレッションの前記メリディアン上の平均球値の最大値と最小値との差として規定される。この場合、プログレッションの主長さは好ましくは、前記メリディアン上の平均球値の最大傾きに対する倍率増分の割合として規定され、レンズの幾何中心と心合わせされた半径２０ｍｍの円の内側のシリンダ値は倍率増分よりも小さく、好ましくは倍率増分の８０％よりも小さい。
【手続補正３】
【補正対象書類名】明細書
【補正対象項目名】００４６
【補正方法】変更
【補正の内容】
【００４６】
近視および中間視用の多焦点レンズの場合、プログレッションの主長さは、メリディアンに沿った平均球値の傾きに対する、上述の通り規定された倍率増分の割合であり、この割合は次のように表される。
【手続補正４】
【補正対象書類名】明細書
【補正対象項目名】００４７
【補正方法】変更
【補正の内容】
【００４７】
Ｌpp＝（Ｓmax−Ｓmin）／Ｐmer
ここでＳmaxおよびＳminはそれぞれメリディアン上の球値の最大値および最小値であり、Ｐmerはメリディアンに沿った球値の傾きの最大値であり、この球値の傾きはｘまたはｙに対する球値の最大傾斜率に相当する。この割合Ｌppは長さと等価であり、平均球値が倍率増分に相当する値だけ増大する長さを表している。
【手続補正５】
【補正対象書類名】明細書
【補正対象項目名】００５４
【補正方法】変更
【補正の内容】
【００５４】
レンズの幾何中心と心合わせされた直径４０ｍｍの円板を考えると、この円板の内側におけるシリンダ値の最大値は０．７６ディオプトルであり、この最大値はレンズの中心から２０ｍｍだけ離れたｘ＝−１６、ｙ＝−１２の点において得られる。
【手続補正６】
【補正対象書類名】明細書
【補正対象項目名】００６４
【補正方法】変更
【補正の内容】
【００６４】
有利には、直径４０ｍｍの円の内側における最大シリンダ値は倍率増分よりも小さく、好ましくは倍率増分の８０％である。例えば、倍率増分が１ディオプトルの場合を考えると、円の内側における最大シリンダ値は０．７６ディオプトルであり、この値は倍率増分が２ディオプトルの場合には１．５２であり、倍率増分が３ディオプトルの場合には２．２８である。
【手続補正７】
【補正対象書類名】明細書
【補正対象項目名】００６７
【補正方法】変更
【補正の内容】
【００６７】
さらに、本発明はシリンダ値の最大値をレンズの鼻側とこめかみ側とで概ね同じにすることを提案し、この値は有利には上述のように規定される倍率増分の７５％程度である。本発明による倍率増分が１のレンズでは、鼻側での最大シリンダ値は０．７３４ディオプトルであり、座標がｘ＝１７ｍｍ、ｙ＝−１０ｍｍである点において得られる。こめかみ側ではシリンダ値の最大値は０．７６ディオプトルであり、座標がｘ＝−１６ｍｍ、ｙ＝−１２ｍｍである点において得られる。この最大値はレンズの幾何中心からの距離がそれぞれ１９．７ｍｍ、２０ｍｍである点において得られる。これにより、最大シリンダ値の点が中心視のために用いられる領域の縁部に位置するのが確保される。
【手続補正８】
【補正対象書類名】特許請求の範囲
【補正対象項目名】全文
【補正方法】変更
【補正の内容】
【特許請求の範囲】
【請求項１】
非球面（Ｓ）であって該非球面上の全ての点において平均球値およびシリンダ値を有する非球面（Ｓ）を具備すると共に、遠視領域（ＶＬ）であって遠視領域のための基準点を有する遠視領域（ＶＬ）と、近視領域（ＶＰ）であって近視領域のための基準点を有する近視領域（ＶＰ）と、遠視領域のための基準点における平均球値と近視領域のための基準点における平均球値との差として規定される倍率増分と、中間視領域（ＶＩ）とを具備した多焦点眼用レンズを規定する方法であって、
前記三つの領域を通過するプログレッションの主メリディアン（ＭＭ’）を決定する段階と、
レンズのパラメータの境界条件を設定する段階と、
該設定された境界条件に基づいてレンズの非球面表面（Ｓ）を最適化する段階と、
を含んでなり、前記境界条件が、
プログレッションの主長さが１６ｍｍよりも短いこと、及び
（ａ）レンズの幾何中心と心合わせされた半径２０ｍｍの円の内側における最大シリンダ値の、（ｂ）レンズの幾何中心と、シリンダ値が最大値である前記円の内側の点との間の距離に対する割合が、プログレッションの主メリディアンに沿った平均球値の最大傾き（Ｐmer）の半分以下であること、
を含む、方法。
【請求項２】
前記プログレッションの主メリディアンを決定する段階が、シリンダ値が０．５ディオプトルである点により形成される各線を結ぶ水平線分の中間点により形成される、請求項１に記載の方法。
【請求項３】
前記境界条件が更に、レンズの幾何中心と心合わせされた前記半径２０ｍｍの円の内側のシリンダ値が倍率増分よりも小さいことを含む、請求項１又は２に記載の方法。
【請求項４】
前記境界条件が更に、レンズの幾何中心と心合わせされた前記半径２０ｍｍの円の内側のシリンダ値が倍率増分の８０％よりも小さいことを含む、請求項３に記載の方法。
【請求項５】
前記境界条件が更に、レンズの幾何中心と心合わせされた前記半径２０ｍｍの円の内側において前記メリディアンの両側での最大シリンダ値の差が０．０５ディオプトルよりも小さいことを含む、請求項１から４までのいずれか一項に記載の方法。
【請求項６】
前記境界条件が更に、レンズの幾何中心と心合わせされた前記半径２０ｍｍの円の内側において前記メリディアンの両側での最大シリンダ値の差が０．０３ディオプトルよりも小さいことを含む、請求項５に記載の方法。
【請求項７】
前記境界条件が更に、レンズの幾何中心からそれぞれ延びて、近視領域において前記円と、シリンダ値が倍率増分の半分に等しい点により形成される線との交点を通過する半線間の角が４５°よりも大きいことを含む、請求項１から６までのいずれか一項に記載の方法。
【請求項８】
前記境界条件が更に、前記レンズの幾何中心から始まる二つの半線により形成される角付扇状部であって、これら半線間の角が１３０°よりも大きい扇状部が、シリンダ値が倍率増分の半分に等しい点により形成される線でもってレンズの上部に画定される前記遠視領域に含まれることを含む、請求項１から７までのいずれか一項に記載の方法。
【請求項９】
前記境界条件が更に、前記レンズの幾何中心から始まる二つの半線により形成される角付扇状部であって、これら半線間の角が１６０°と１６５°との間にある扇状部が、シリンダ値が倍率増分の半分に等しい点により形成される線でもってレンズの上部に画定される前記遠視領域に含まれることを含む、請求項８に記載の方法。